(57)【要約】【課題】本発明は、製造時間および製造コストを抑えつつ、高いデザイン性と生産性を兼ね備えたソファの座構造を提供する。【解決手段】本発明のソファの座構造は、座本体と、前記座本体の下端に設けられ前記座本体を支持する接地部と、を備えるソファの座構造において、前記座本体は、前記座本体の下部を構成し、前記接地部に支持された下部構造体と、前記下部構造体の上に積層され前記座本体の上部を構成する上部構造体とからなり、前記下部構造体は、前記上部構造体を支持する支持部材と、前記支持部材を覆う外郭部材とを有し、前記外郭部材が樹脂によって形成されている。【選択図】図１
2020188912.tif 000002
【特許請求の範囲】
【請求項１】
座本体と、前記座本体の下端に設けられ前記座本体を支持する接地部と、を備えるソファの座構造において、
前記座本体は、前記座本体の下部を構成し、前記接地部に支持された下部構造体と、前記下部構造体の上に積層され前記座本体の上部を構成する上部構造体とからなり、
前記下部構造体は、前記上部構造体を支持する支持部材と、前記支持部材を覆う外郭部材とを有し、前記外郭部材が樹脂によって形成されている、
ソファの座構造。
【請求項２】
前記外郭部材は、
幅方向および奥行方向のそれぞれについて、両外側よりも中央の方が高さ寸法が小さくなっている、
請求項１に記載のソファの座構造。
【請求項３】
前記支持部材および前記外郭部材を覆う表皮材を有し、
前記表皮材が前記支持部材に対して固定されている、
請求項１または２に記載のソファの座構造。
【請求項４】
前記外郭部材は、前記座本体の幅方方向両側に配置される一対の第１外郭材と、
一対の前記第１外郭材どうしの間に隙間なく配置され、これら前記第１外郭材どうしを繋ぐ第２外郭材と、を有する、
請求項１から３のいずれか一項に記載のソファの座構造。
【発明の詳細な説明】
【技術分野】
【０００１】
本発明は、ソファの座構造に関するものである。
【背景技術】
【０００２】
従来より、ソファの内部構造は、木製もしくは金属製の材料を用いて構成されており（例えば、特許文献１〜３）、熟練した職人によって、所望のデザインに一つ一つ加工され、組み立てられることで作製されていた。
【先行技術文献】
【特許文献】
【０００３】
【特許文献１】特開２０１８−６８８４１号公報
【特許文献２】特開２０１６−６７５８４号公報
【特許文献３】特開平１０−２７６８６１号公報
【発明の概要】
【発明が解決しようとする課題】
【０００４】
従来の構成では、強度上必要な内部構造を木や金属の部材で形成しつつ、その外側に必要なクッション性など確保しつつ、所望のデザインとなるように表皮を覆う必要がある。このため、デザイン性の高いソファの場合、作製に熟練した技能を要するとともに、多くの時間と労力がかかってしまい、製造時間と製造コストがかかっていた。
【０００５】
本発明の一つの態様は、上記従来技術の問題点に鑑み成されたものであって、製造時間および製造コストを抑えつつ、高いデザイン性と生産性を兼ね備えたソファの座構造を提供することを目的とする。
【課題を解決するための手段】
【０００６】
本発明の一形態のソファの座構造において、座本体と、前記座本体の下端に設けられ前記座本体を支持する接地部と、を備えるソファの座構造において、前記座本体は、前記座本体の下部を構成し、前記接地部に支持された下部構造体と、前記下部構造体の上に積層され前記座本体の上部を構成する上部構造体とからなり、前記下部構造体は、前記上部構造体を支持する支持部材と、前記支持部材を覆う外郭部材とを有し、前記外郭部材が樹脂によって形成されている。
【０００７】
この構造によれば、樹脂によって形成された外郭部材を用いることによって、座本体の下部を構成する下部構造体の外形を様々なデザインで設計することができる。また、外郭部材を樹脂により形成することで、手作業では加工しにくいデザインにも容易に対応することができるため、熟練した技能に頼ることなく、デザイン性の高い形状であっても同様の品質で量産が可能となる。これにより、労力の低減が可能となり、製造時間の短縮および製造コストを抑えつつ、高いデザイン性と生産性を兼ね備えたソファの座構造を提供することができる。
さらに、樹脂製のため、木材や金属を用いる場合よりもソファ全体の軽量化が可能となり、ソファの運搬や配置替え等を行いやすい。
【０００８】
本発明の一形態のソファの座構造において、前記外郭部材は、幅方向および奥行方向のそれぞれについて、両外側よりも中央の方が高さ寸法が小さくなっている構成としてもよい。
【０００９】
この構造によれば、座本体の中央の厚さが薄くなるため、見た目がすっきりとした印象を与えることができ、視覚的効果により軽量感を演出することができる。
【００１０】
本発明の一形態のソファの座構造において、  前記支持部材および前記外郭部材を覆う表皮材を有し、前記表皮材が前記支持部材に対して固定されている構成としてもよい。
【００１１】
この構造によれば、表皮材によって外郭部材を支持部材に対して確実に固定することができる。外郭部材は支持部材に対して仮止めしておくだけでよく、組み立て作業が容易になる。
【００１２】
本発明の一形態のソファの座構造において、前記外郭部材は、前記座本体の幅方方向両側に配置される一対の第１外郭材と、一対の前記第１外郭材どうしの間に隙間なく配置され、これら前記第１外郭材どうしを繋ぐ第２外郭材と、を有する構成としてもよい。
【００１３】
この構造によれば、幅方向の長さが短い小型のソファでは一対の第１外郭材のみを用いればよく、幅方向の長さが長くなる大型のソファでは、一対の第１外郭材どうしの間に第２外郭材を配置することで、幅方向の長さ調整が可能である。
【発明の効果】
【００１４】
本発明によれば、製造コストを抑え、高いデザイン性と生産性を兼ね備えたソファの座構造を提供することができる。
【図面の簡単な説明】
【００１５】
【図１】図１は、第１実施形態のソファ１００の全体構造を示す正面図である。
【図２】図２は、下部構造体１１１の構成を下方から示す斜視図である。
【図３Ａ】図３Ａは、第１外郭材１６Ａを示す斜視図である。
【図３Ｂ】図３Ｂは、第１外郭材１６Ａを示す側面図（Ｙ方向視）である。
【図３Ｃ】図３Ｃは、第１外郭材１６Ａを示す側面図（Ｘ方向視）である。
【図４】図４は、下部構造体１１１の構成を示す断面図である。
【図５】図５は、座本体１１と背凭れ部材１２との接続構造を示す部分断面図である。
【図６】図６は、第２実施形態のソファ２００の全体構造を示す正面図である。
【図７】図７は、第２実施形態のソファ２００の下部構造体１４１の構成を下方から示す図である。
【発明を実施するための形態】
【００１６】
以下、添付図面を参照して、本発明におけるソファを実施するための形態を説明する。しかし、本発明はこの実施形態のみに限定されるものではない。なお、以下の各図面においては、各構成要素を見やすくするため、構成要素によって寸法の縮尺を異ならせて示すことがある。
【００１７】
以下の説明において、ソファの背凭れに背中を向けて正規姿勢で着座した人の正面を向く向きを「前」と呼び、それと逆側の向きを「後」とし、ソファに正規姿勢で着座した人の上方を向く向きを「上」、それと逆側の向きを「下」とし、ソファに正規姿勢で着座した人の左方を「左」、右方を「右」とする。また、ソファの左右方向を「幅方向」と呼ぶ。
【００１８】
また、図面においては、適宜３次元直交座標系としてＸＹＺ座標系を示す。ＸＹＺ座標系において、「Ｘ方向」は、図１に示すソファの「幅方向」と平行な方向とする。「Ｚ方向」は、Ｘ方向と直交する方向であって図１の「上下方向」とする。「Ｙ方向」は、Ｘ方向とＺ方向との両方と直交する「奥行方向」とする。
【００１９】
［第１実施形態］
図１は、第１実施形態のソファ１００の全体構造を示す正面図である。図２は、下部構造体１１１の構成を下方から示す斜視図である。図３Ａは、第１外郭材１６Ａを示す斜視図である。図３Ｂは、第１外郭材１６Ａを示す側面図（Ｙ方向視）である。図３Ｃは、第１外郭材１６Ａを示す側面図（Ｘ方向視）である。図４は、下部構造体１１１の構成を示す断面図である。図５は、座本体１１と背凭れ部材１２との接続構造を示す部分断面図である。
【００２０】
図１に示すように、本実施形態のソファ１００は、例えば二人掛け用のソファであって、座本体１１、背凭れ部材１２、４本の脚体１３および４つの接地部１４を備えている。
座本体１１は、当該座本体１１の下部を構成する下部構造体１１１と、座本体１１の上部を構成する上部構造体１１２と、これら下部構造体１１１および上部構造体１１２を上下に積層した状態で接合する第１接合材１１３と、を備えている。座本体１１は、上方に向かって延びる４本の脚体１３に支持され、各脚体１３の下端に設けられた接地部１４を介して床面上に載置されている。座本体１１の上面、つまり上部構造体１１２の上面は、利用者が着座可能な座面１１２ａとされている。
【００２１】
本実施形態の座本体１１の上面視における形状は、例えば矩形状とされている。
なお、座本体１１の上面視における形状は、矩形状に限られず、楕円形状など他の形状であってもよい。
【００２２】
背凭れ部材１２は、座本体１１の座面１１２ａ上に設けられている。背凭れ部材１２は、上方に向かって延びており、下端側が座本体１１の後端側に連結されている。
【００２３】
背凭れ部材１２は、正面視略矩形状をなすが、これに限られず、楕円形状など他の形状であってもよい。本実施形態の背凭れ部材１２は、図１に示すように、幅方向における長さ寸法が上下方向で異なっており、下端側が最も長くて座本体１１の幅方向長さに略等しく、上方へ行くにしたがってその幅寸法が短くなっている。
【００２４】
次に、本実施形態におけるソファ１００の具体的な構造について述べる。
【００２５】
（座本体）
図１に示したように、本実施形態のソファ１００の座本体１１は、下部構造体１１１と、下部構造体１１１の上に積層される上部構造体１１２と、から構成されている。
【００２６】
下部構造体１１１は、図２に示すように、木製の支持部材１５と、樹脂製の外郭部材１６と、支持部材１５および外郭部材１６の表面を覆う下側表皮材（表皮材）１７（図１）と、を備えている。外郭部材１６は、支持部材１５の周縁に枠状に配置された状態で下側表皮材１７によって覆われ、固定されている。
【００２７】
支持部材１５は、平面視が矩形板状のパネル基材１５ａを有する。パネル基材１５ａの四隅にはＲ加工がそれぞれ施されている。パネル基材１５ａの下面１５ｂには、周縁よりも内側に、下面１５ｂに対して垂直に下方へと延びるパネル支持枠１８が固定されている。
【００２８】
ここで、上述した支持部材１５の周縁とは、パネル基材１５ａの外周縁を含む領域である。
【００２９】
パネル支持枠１８は、パネル基材１５ａの長辺に沿って配置される一対の長辺杆１８１と、パネル基材１５ａの短辺に沿って配置される一対の短辺杆１８２と、コーナー位置に配置される４つの脚固定枠部１８３と、を備えている。パネル支持枠１８は、ボルトや接着剤等を用いてパネル基材１５ａの下面１５ｂに固定されている。
【００３０】
各脚固定枠部１８３は、パネル基材１５ａの四隅に向かってそれぞれ外側に突出し、内側の挿通孔１８ｂ内にそれぞれ脚体１３が挿入されている。各脚体１３は、脚固定枠部１８３の挿通孔１８ｂ内に挿入された状態で、パネル支持枠１８の四隅内側に配置された角柱体状の脚固定台２１に対して、脚体固定具１９を介してねじ止めされ固定されている。上下方向に延びる４つの脚体１３は、パネル基材１５ａに対して鉛直に延在するのではなく、下方に行くにしたがって外側へ傾斜している。脚体１３の構成材料としては、金属材料、木材、樹脂材料等などが挙げられる。
【００３１】
パネル基材１５ａの下面１５ｂには、パネル支持枠１８の内側となる位置に、奥行方向で対向する一対の長辺杆１８１，１８１どうしを連結する一対の連結杆１８４が設けられている。連結杆１８４は、幅方向に間隔をおいて配置され、パネル基材１５ａの下面１５ｂに対して起立した状態で固定されている。これら一対の連結杆１８４は、パネル基材１５ａの中央部位における下方へ他の撓みを抑制している。
【００３２】
パネル基材１５ａの下面１５ｂには、パネル支持枠１８の外側となる位置に、パネル基材１５ａとの間に架設された４つの補強リブ１８５が設けられている。補強リブ１８５は、各長辺杆１８１，１８１の長さ方向中央、および各短辺杆１８２，１８２の長さ方向中央に位置し、各長辺杆１８１および各短辺杆１８２に対して垂直をなすとともに、パネル基材１５ａの下面１５ｂに対して起立した状態で固定されている。これら４つの補強リブ１８５は、パネル基材１５ａの特に外周縁における下方への撓みを抑制している。
【００３３】
このような構成の支持部材１５下面１５ｂ側の外周部には、これを覆う外郭部材１６が配置されている。外郭部材１６は、一対の第１外郭材１６Ａ，１６Ａからなり、互いに隙間なく幅方向（Ｘ方向）に並べて配置されている。これら第１外郭材１６Ａ，１６Ａは、パネル基材１５ａの外周縁からパネル支持枠１８の下端縁に亘ってこれらを覆うようにして設けられている。
【００３４】
具体的に、第１外郭材１６Ａ，１６Ａは、パネル基材１５ａの外周面１５ｃからパネル支持枠１８の下端面１８ｃに亘ってこれら覆い、４つの補強リブ１８５およびパネル支持枠１８の脚固定枠部１８３を含む領域を隠すように設けられている。
【００３５】
各第１外郭材１６Ａは、図３Ａに示すように、平面視において４辺のうち１辺が開放されたコ字状の上側外周部１６ａおよび下側内周部１６ｂを有している。第１外郭材１６Ａは、下方に行くにしたがって、平面視において上側外周部１６ａよりも下側内周部１６ｂが内側に入り込んだカバー形状をなす。また、第１外郭材１６Ａは、側面視において、下側内周部１６ｂよりも上方に上側外周部１６ａが位置する凹型の立体形状をなす。
【００３６】
第１外郭材１６Ａは、平面視におけるコ字状の３辺を構成する３つの底板部１６ｃと、各底板部１６ｃの外側から曲面をなすように立ち上がる３つの壁部１６ｄと、隣り合う壁部１６ｄどうしを連結する一対のコーナー部１６ｅと、を有する。コーナー部１６ｅは、パネル基材１５ａの隅部に対応したＲ形状とされている。
【００３７】
第１外郭材１６Ａの各コーナー部１６ｅには、下側内周部１６ｂから外側に向かって窪んだ切欠き凹部１６ｆがそれぞれ形成されている。図２に示すように、第１外郭材１６Ａが支持部材１５の所定の位置に配置された状態のとき、各切欠き凹部１６ｆ内に、パネル基材１５ａに対して装着された脚体１３がそれぞれ位置する。
【００３８】
本実施形態において、各第１外郭材１６Ａは樹脂成形品である。第１外郭材１６Ａは、例えば板状のプラスチック材を凹型の金型上に配置し、真空成形することによって得られたものである。第１外郭材１６Ａの外面１６ｇは、全体的に丸みを帯びた湾曲面をなし、金型を変えることで任意形状の第１外郭材１６Ａを作り出すことができる。
【００３９】
本実施形態において各第１外郭材１６Ａは、図３Ｂおよび図３Ｃに示すように、幅方向（Ｘ方向）および奥行方向（Ｙ方向）における高さ寸法がそれぞれ異なっている。
【００４０】
図３Ｂに示すように、第１外郭材１６Ａはその幅方向（Ｘ方向）において、開放端である端部１６２の高さＴ２の方が、端部１６２とは幅方向反対側に位置するコーナー部１６ｅの高さＴ１よりも寸法が小さくなっており、Ｔ１＞Ｔ２の関係を満たしている。
【００４１】
図３Ｃに示すように、第１外郭材１６Ａはその奥行方向（Ｙ方向）において、コーナー部１６ｅの高さＴ１よりも奥行方向中央部位の高さＴ３の方が小さくなっており、Ｔ１＞Ｔ３の関係を満たしている。このように三次元形状にすることにより強度アップになる。
【００４２】
このような第１外郭材１６Ａ，１６Ａは、支持部材１５に対して幅方向両側に位置決めされ、互いの端部１６２，１６２を幅方向で対向させた状態で配置される。このため、外郭部材１６の全体としては、幅方向および奥行方向のいずれにおいても両外側が最も高く、幅方向および奥行方向のいずれにおいても中央が最も低い高さ寸法を有した形状となり、座下中央の空間が広くなっている。
【００４３】
幅方向に並べられた第１外郭材１６Ａ，１６Ａにより、下部構造体１１１の全周に亘る下枠（外郭部材１６）を形成する。幅方向に並べられた第１外郭材１６Ａ，１６Ａは、互いに連続した形状をなす。そのため、外郭部材１６における下端側ラインが幅方向に連続した曲線を描いている。
なお、第１外郭材１６Ａ，１６Ａは、例えば、タッカーや接着剤を用いて、支持部材１５に対して仮止めしておくことが好ましい。
【００４４】
下側表皮材１７は、支持部材１５に対して、一対の第１外郭材１６Ａ，１６Ａからなる外郭部材１６が一体となるように覆っている。本実施形態において下側表皮材１７は、外郭部材１６の外面１６ｇの全体を覆っており、その上側周縁部１７ｂが、支持部材１５のうちパネル基材１５ａの上面の周縁に固定され、下側周縁部１７ａが、図２に示したパネル支持枠１８の内側に固定されている。下側表皮材１７の上側周縁部１７ｂおよび下側周縁部１７ａは、例えば、タッカーや接着剤を用いて支持部材１５に固定されている。下側表皮材１７は、例えば、ウレタン等、適宜クッション材からなる。
【００４５】
下側表皮材１７の下側周縁部１７ａは、パネル支持枠１８の長辺杆１８１、短辺杆１８２の内面１８１ａ、１８２ａに対してこれらの少なくとも一部を覆って固定されているとともに、四隅に位置する各脚固定台２１の内面２１ａの少なくとも一部を覆って固定されている。図４では、パネル基材１５ａの上面１５ｄの全体が下側表皮材１７によって覆われているが、この領域の下側表皮材１７は、パネル基材１５ａは、上に配置される上部構造体１１２によって隠れてしまうため、パネル基材１５ａの上面１５ｄのうちその周縁部を覆うようにしてもよい。その場合、下側表皮材１７の上端側の周縁部をパネル基材１５ａの上面１５ｄに対して固定する。
【００４６】
座本体１１の上部構造体１１２は、パネル基材２５と、クッション材２６と、上側表皮材（表皮材）２７と、を備えている。パネル基材２５は、下部構造体１１１のパネル基材１５ａと同様に平面視が矩形板状の木製の板材である。パネル基材２５の後方側には、上方に突出した接合凸部２５Ａが幅方向に一対形成されている。各接合凸部２５Ａは、パネル基材１５ａから垂直に立ち上がる一対の側壁（不図示）と、これら一対の側壁の上端どうしを繋ぐ接合板２５ｂとによりそれぞれ構成されている。これら一対の接合凸部２５Ａ（接合板２５ｂ）に対して、背凭れ部材１２が接合されている。
【００４７】
クッション材２６は、パネル基材２５の上面２５ａに配置されている。クッション材２６は、例えば、ウレタン等、適宜のクッション材からなる。
【００４８】
上側表皮材２７は、パネル基材２５およびクッション材２６を一体的に覆って設けられている。上側表皮材２７は、例えば、皮革、布、ビニール系素材等からなり、上述した下側表皮材と同じ材質であってもよいし、異なる材質のものを用いてもよい。
【００４９】
上述した下部構造体１１１および上部構造体１１２は、それぞれ表皮材まで張り付けられた状態で、図５に示すように複数の第１接合材１１３を介して接合され、座本体１１として組み立てられている。
【００５０】
（背凭れ部材）
背凭れ部材１２は、図５に示すように、内部構造部３１、クッション材３２および背凭れ用表皮材３３を有する。内部構造部３１は、矩形状の上板（不図示）と、上板の前端側に設けられた矩形状の前板３１ａと、上板の後端側に設けられ前板３１ａと奥行方向で対向する後板３１ｂと、前板３１ａおよび後板３１ｂの下端側どうしを接続する接合板３１ｃと、これら各部材の幅方向両側の側端面を一度に覆う一対の側板（不図示）を有する。前板３１ａおよび後板３１ｂは、接合板３１ｃよりも上板の方が後方に位置するように所定の角度で傾斜している。
【００５１】
クッション材３２は、内部構造部３１の前板３１ａと後板３１ｂに面して設けられている。背凭れ用表皮材３３は、クッション材３２および内部構造部３１Ａを一体的に覆って設けられている。
【００５２】
このような背凭れ部材１２とは、表皮材まで張り付けられた状態で、幅方向（Ｘ方向）に間隔をおいて配置された一対の第２接合材１２１，１２１（一方は不図示）を介して座本体１１に接合されている。このようにして本実施形態のソファ１００が組み立てられている。
【００５３】
本実施形態におけるソファ１００は、その外形に角張った箇所はなく、図１に示すように滑らかな曲線のフォルムを有する。これば、内部の構造体の要所にＲ加工を施しておくことで、実現できる。
【００５４】
本実施形態のように、樹脂成形された外郭部材１６を用いることによって、座本体１１を構成する下部構造体１１１の外形を、様々なデザインで設計することができる。外郭部材１６を樹脂成形することで、手作業では加工しにくいデザインにも容易に対応することができる。従来、木材を加工して所望のデザインを実現するには、熟練した技能が必要となり、時間と労力がかかっていた。
【００５５】
これに対し、本実施形態のように外郭に樹脂成型品を用いることによって、熟練した技能に頼ることなく、デザイン性の高い形状であっても同様の品質で量産が可能となる。これにより、労力の低減が可能となり、製造時間の短縮およびコスト削減を図ることができる。このように、製造コストを抑えつつ、高いデザイン性と生産性を兼ね備えたソファ１００の座構造を提供することができる。
【００５６】
さらに、樹脂製のため、木材や金属を用いる場合よりもソファ１００全体の軽量化が可能となり、ソファ１００の運搬や配置替え等を行いやすい。
【００５７】
また、本実施形態では、一対の第１外郭材１６Ａ，１６Ａからなる外郭部材１６の幅方向および奥行方向のそれぞれについて、両外側よりも中央の方が高さ寸法が小さくなっている。これによって、座本体１１の下部構造において、座本体１１の中央の厚さを薄くすることができる。これにより、座下の空間が広がり、圧迫感が少なく、シャープな印象を与えることができる。また、見た目がすっきりすることで、視覚的効果により軽量感を演出することができる。さらに強度アップも図れる。
【００５８】
本実施形態では、下側表皮材１７によって、一対の第１外郭材１６Ａ，１６Ａを支持部材１５に対して一体となるように覆うことによって、これら第１外郭材１６Ａ，１６Ａからなる外郭部材１６を支持部材１５に対して確実に固定することができる。このため、支持部材１５に対して各第１外郭材１６Ａ，１６Ａを、タッカーや接着剤で仮止めしておくだけでよく、組み立て作業が容易になる。
【００５９】
［第２実施形態］
図６は、第２実施形態のソファ２００の全体構造を示す正面図である。図７は、第２実施形態のソファ２００の下部構造体１４１の構成を下方から示す図である。
【００６０】
図６に示すように、本実施形態のソファ２００は、例えば三人掛け用のソファであって、座本体４１、背凭れ本体４２、４本の脚体１３および４つの接地部１４を備えている。本実施形態の背凭れ本体４２の構成は、幅方向の長さが異なるが上述した第１実施形態の背凭れ本体の構成と同様のため、具体的な説明を省略する。
【００６１】
座本体４１は、下部構造体１４１および上部構造体１４２と、これらを接合する不図示の接合材と、を備えている。本実施形態の上部構造体１４２の構成は、幅方向の長さが異なるが、上述した第１実施形態の上部構造体の構成と同様のため、具体的な説明を省略する。
【００６２】
下部構造体１４１は、図７に示すように、木製の支持部材４３と、樹脂製の外郭部材４４と、支持部材４３および外郭部材４４の表面を覆う下側表皮材４５（図６）と、を備えている。
【００６３】
支持部材４３は、パネル基材４６と、パネル基材４６の下面４６ｂに固定されたパネル支持枠４８とを、を少なくとも備えている。
【００６４】
本実施形態の外郭部材４４は、一対の第１外郭材１６Ａ，１６Ａと、一対の第１外郭材１６Ａ，１６Ａどうしの間に配置され、これら第１外郭材１６Ａ，１６Ａどうしを繋ぐ一対の中間材（第２外郭材）１６Ｂ，１６Ｂを有して構成されている。図６に示すように、各中間材１６Ｂは、座本体４１の幅方向中央に位置し、図７に示すように、座本体４１の前側および後側にそれぞれ配置されている。
【００６５】
中間材１６Ｂは、樹脂成形されたもので、例えば真空成形することによって得られたものである。
中間材１６Ｂは、その両側に位置する第１外郭材１６Ａ，１６Ａに連続する形状をなし、支持部材４３のパネル支持枠４８の下側周縁部を覆う凹型の立体形状をなす。
【００６６】
中間材１６Ｂは幅方向両側に位置する第１外郭材１６Ａ，１６Ａに連続した形状をなす。
【００６７】
これら一対の第１外郭材１６Ａ，１６Ａと、これらの間に配置された一対の中間材１６Ｂ，１６Ｂと、によって、下部構造体１４１の全周に亘る下枠（外郭部材４４）が構成されている。
【００６８】
このように、一対の第１外郭材１６Ａ，１６Ａだけでなく、これらの間に配置する中間材１６Ｂを用いることによって大型の外郭部材４４を構成することができ、幅方向に長さを有するソファ２００に対応することができる。中間材１６Ｂも第１外郭材１６Ａと同様に樹脂成型品からなるため、熟練した技能を必要とすることなく、短時間で簡単に製造することができる。このように、どのようなサイズのソファであっても所望のデザインを実現することができるとともに、製造コストを抑えつつ一対の品質と生産性を兼ね備えたソファ２００の座構造を提供することができる。
【００６９】
なお、中間材１６Ｂが複数の樹脂成型品から構成されていてもよい。
【００７０】
以上、本発明の各実施形態を説明したが、各実施形態における各構成およびそれらの組み合わせ等は一例であり、本発明の趣旨から逸脱しない範囲内で、構成の付加、省略、置換およびその他の変更が可能である。また、本発明は上記実施形態によって限定されることはない。
【００７１】
例えば、上述した実施形態では、外郭部材１６が２つのコ字状の第１外郭材１６Ａ，１６Ａにより構成されているが、これに限られず、例えば４つのＬ字状の外郭材（以下、Ｌ字状外郭材と呼ぶ）により構成されていてもよい。例えば、ソファ１００の各コーナーにそれぞれＬ字状外郭材を配置してもよい。これら４つのＬ字状外郭材は、周方向で連続して配置されているとともに互いに隙間なく配置されていることが好ましい。
【００７２】
このように、上面視で矩形状を呈するソファの四隅に配置したＬ字状外郭材によって、ソファの前方、後方および両側のそれぞれにおいてデザインを設計することができるようになり、デザインの幅を広げることができる。
【００７３】
また、隣り合うＬ字状外郭材どうしの間に中間材を配置する場合は、各コーナーに配置されたＬ字状外郭材どうしを中間材によってそれぞれ繋ぐ構成とし、隣り合うＬ字状外郭材および中間材どうしは互いに隙間なく配置されていることが好ましい。これにより、大型ソファのデザインの幅も広げることができる。
【００７４】
上述した各実施形態のソファ１００，２００では、それぞれ４本の脚体１３を備えた構成となっていたが、脚体１３のないソファにも応用することができる。この場合、座本体の四隅の下端側に接地部１４を設けることが好ましい。
【００７５】
上述した各実施形態では、二人掛け用、三人掛け用のソファについて述べたが、これに限られず、一人掛け用、四人掛け以上のソファとしてもよい。
【符号の説明】
【００７６】
１１，４１…座本体、１４…接地部、１５，４３…支持部材、１６，４４…外郭部材、１６Ａ…第１外郭材、１６Ｂ…中間材（第２外郭材）、１７…下側表皮材（表皮材）、２７…上側表皮材（表皮材）、４２…本体、１００，２００…ソファ、１１１，１４１…下部構造体、１１２，１４２…上部構造体、Ｔ１，Ｔ２，Ｔ３…高さ
【図１】
2020188912.tif 000003
【図２】
2020188912.tif 000004
【図３Ａ】
2020188912.tif 000005
【図３Ｂ】
2020188912.tif 000006
【図３Ｃ】
2020188912.tif 000007
【図４】
2020188912.tif 000008
【図５】
2020188912.tif 000009
【図６】
2020188912.tif 000010
【図７】
2020188912.tif 000011